(57)【要約】【目的】さくらんぼ等の高価な果物や農作物を栽培する広い農場内に不法侵入した者を検知して通報する、該果物や農作物の盗難防止に効果的な防犯警報装置を提供する。【構成】特定の警戒エリア内に人が侵入したことを検知して検知信号を出力するセンサ手段１０と、あらかじめ所定の電話番号が登録されておりイヤホンマイクコネクタにおいて２極を所定時間短絡させることにより該登録された所定の電話番号に自動発信する機能を備えた携帯電話機２０と、携帯電話機のイヤホンマイクコネクタにイヤホンマイク接続プラグを接続することにより形成されるスイッチ回路２４と、センサ手段からの検知信号を受けてスイッチ回路を閉じることにより携帯電話機の上記自動発信機能を作動させるリレー手段３０と、を備える。【選択図】図２  
0003102082.tif 000002
【実用新案登録請求の範囲】
【請求項１】
特定の警戒エリア内に人が侵入したことを検知して検知信号を出力するセンサ手段と、あらかじめ所定の電話番号が登録されておりイヤホンマイクコネクタにおいて２極を所定時間短絡させることにより該登録された所定の電話番号に自動発信する機能を備えた自動発信手段と、自動発信手段のイヤホンマイクコネクタにイヤホンマイク接続プラグを接続することにより形成されるスイッチ回路と、センサ手段からの検知信号を受けてスイッチ回路を閉じることにより携帯電話機の自動発信機能を作動させるリレー手段と、を備えたことを特徴とする防犯警報装置。
【請求項２】
リレー手段は、所定時間経過後に上記スイッチ回路を開くためのタイマー手段を有することを特徴とする、請求項１記載の防犯警報装置。
【請求項３】
リレー手段は、センサ手段からの検知信号を受けて蓄電するコンデンサと、コンデンサに蓄電された電荷が放電されるときの流量を制御する抵抗とを含み、センサ手段から検知信号が出力されたときに、コンデンサの蓄電容量と抵抗の抵抗値との組み合わせによって決定される所定時間だけスイッチ回路を閉じることを特徴とする、請求項１記載の防犯警報装置。
【請求項４】
リレー手段は、スイッチ回路のスイッチに対向して配置されるリレーと、センサ手段からの検知信号を受けて蓄電するコンデンサと、コンデンサに蓄電された電荷が放電されるときの流量を制御する抵抗と、リレー側にコレクタが接続されるとともにベース側に抵抗が接続されるトランジスタと、を含む閉じた回路を有し、抵抗を介してトランジスタのベースからエミッタに流れる電流によってリレーを介してトランジスタのコレクタからエミッタに流れる電流を制御し、センサ手段から検知信号が出力された後、リレーに電流が流れている所定時間の間だけ、スイッチ回路のスイッチをオンにすることを特徴とする、請求項１記載の防犯警報装置。
【請求項５】
上記所定時間は、コンデンサの蓄電容量と抵抗の抵抗値との組み合わせによって決定されることを特徴とする、請求項４記載の防犯警報装置。
【請求項６】
さらに、センサ手段からの検知信号を受けて前記エリアに向けて照明する照明手段と、照明手段が作動した後所定の短時間インターバル経過後に前記エリアに向けて撮影する撮影手段と、を備えたことを特徴とする、請求項１記載の防犯警報装置。
【考案の詳細な説明】
【技術分野】
【０００１】
本考案は、特定の警戒エリア内への不法侵入を検知する装置に関し、特に、さくらんぼ等の高価な果物や農作物を栽培する広い農場内に不法侵入した者を検知して通報することにより該果物や農作物の盗難防止に資するよう構成された防犯警報装置に関する。
【背景技術】
【０００２】
家屋や工場などの建物の屋外または屋内の特定エリア内への不法侵入を検知して警報を発するようにした防犯警報装置は公知であり、その一例として、下記特許文献１に記載の防犯警報装置は、警戒エリアに人が侵入したことを検知するセンサを遠近別の複数の警戒エリア毎に複数設置し、遠い警戒エリアに人が侵入したときに比較的控えめな警報を発し、徐々に近くなる警戒エリアに人が侵入したときには徐々に厳重な警告内容の警報を発するように構成されている。
【特許文献１】特開２００３−２４２５６６号公報
【考案の開示】
【考案が解決しようとする課題】
【０００３】
上記特許文献１に開示されるものを含めて、多くの防犯警報装置は、特定の警戒エリア内に人が侵入したことをセンサで検知し、この検知信号に基づいて所定の警報メッセージを自動通報する（またはサイレンなどの大音量警報を自動的に発生させる、威嚇用の大光量照明を自動点灯させる、など）ように構成されている。
【０００４】
この種の防犯警報装置は、侵入者に対して警報メッセージ・サイレン・照明などを与えることによって撃退しようとするものであるが、その警報パターンが規則的・定型的・機械的であって、侵入者に対する心理的威嚇効果が必ずしも十分でないという問題がある。
【０００５】
また、近年、さくらんぼに代表される高価な果物の盗難被害が相次いでおり、これを防止するための警報装置の開発が望まれているが、上述のような防犯警報装置は主として比較的狭い警戒エリアを対象としており、さくらんぼ農場のような広大な警戒エリアを要する警報装置としては適していない。さくらんぼ農場に特に夜間不法侵入する者はその多くが盗難を企む者であると思われるが、このような者に対しては単に撃退して犯罪を未然に防止するだけでなく、再発防止のためにも不法侵入者を特定し、場合によっては現行犯逮捕できるような警報装置を設置しておくことが好ましい。上述の防犯警報装置は、このような要求を十分に満足することができない。
【０００６】
したがって、本考案の課題は、特に、さくらんぼ等の高価な果物や農作物を栽培する広い農場内に不法侵入した者を検知して通報することにより該果物や農作物の盗難防止に資するよう構成された防犯警報装置を提供することにある。
【課題を解決するための手段】
【０００７】
この課題を解決するため、請求項１にかかる本考案による防犯警報装置は、特定の警戒エリア内に人が侵入したことを検知して検知信号を出力するセンサ手段と、あらかじめ所定の電話番号が登録されておりイヤホンマイクコネクタにおいて２極を所定時間短絡させることにより該登録された所定の電話番号に自動発信する機能を備えた自動発信手段と、自動発信手段のイヤホンマイクコネクタにイヤホンマイク接続プラグを接続することにより形成されるスイッチ回路と、センサ手段からの検知信号を受けてスイッチ回路を閉じることにより自動発信手段の上記自動発信機能を作動させるリレー手段と、を備えたことを特徴としている。
【０００８】
請求項２にかかる本考案は、請求項１の防犯警報装置において、リレー手段は、所定時間経過後に上記スイッチ回路を開くためのタイマー手段を有することを特徴とする。
【０００９】
請求項３にかかる本考案は、請求項１の防犯警報装置において、リレー手段は、センサ手段からの検知信号を受けて蓄電するコンデンサと、コンデンサに蓄電された電荷が放電されるときの流量を制御する抵抗とを含み、センサ手段から検知信号が出力されたときに、コンデンサの蓄電容量と抵抗の抵抗値との組み合わせによって決定される所定時間だけスイッチ回路を閉じることを特徴とする。
【００１０】
請求項４にかかる本考案は、請求項１の防犯警報装置において、リレー手段は、スイッチ回路のスイッチに対向して配置されるリレーと、センサ手段からの検知信号を受けて蓄電するコンデンサと、コンデンサに蓄電された電荷が放電されるときの流量を制御する抵抗と、リレー側にコレクタが接続されるとともにベース側に抵抗が接続されるトランジスタと、を含む閉じた回路を有し、抵抗を介してトランジスタのベースからエミッタに流れる電流によってリレーを介してトランジスタのコレクタからエミッタに流れる電流を制御し、センサ手段から検知信号が出力された後、リレーに電流が流れている所定時間の間だけ、スイッチ回路のスイッチをオンにすることを特徴とする。
【００１１】
請求項５にかかる本考案は、請求項４の防犯警報装置において、上記所定時間が、コンデンサの蓄電容量と抵抗の抵抗値との組み合わせによって決定されることを特徴とする。
【００１２】
請求項６にかかる本考案は、請求項１の防犯警報装置において、さらに、センサ手段からの検知信号を受けて前記エリアに向けて照明する照明手段と、照明手段が作動した後所定の短時間インターバル経過後に前記エリアに向けて撮影する撮影手段と、を備えたことを特徴としている。
【考案の効果】
【００１３】
本考案によれば、特定の警戒エリア内への不法侵入を検知する装置によって、高価な果物や農作物を栽培する広い農場内に不法侵入した者を検知して通報することにより該果物や農作物の盗難防止に資することが可能になる。
【考案を実施するための最良の形態】
【００１４】
（システムの構成）
本考案のシステム構成は、図１に示すように、
特定の警戒エリア内に人が侵入したことを検知して検知信号を出力するセンサである、侵入検知信号出力センサ手段１と、
あらかじめ所定の電話番号が登録されておりイヤホンマイクコネクタにおいて２極を所定時間短絡させることにより該登録された所定の電話番号に自動発信する機能を備えた機器である、所定電話番号への自動発信手段２と、
自動発信手段２のイヤホンマイクコネクタにイヤホンマイク接続プラグを接続することにより形成されるスイッチ回路３と、
センサ手段からの検知信号を受けてスイッチ回路を閉じることにより携帯電話機の上記自動発信機能を作動させるリレー手段４と、から構成される。
【００１５】
本装置の回路構成は、図２に示すように、
侵入検知信号出力センサ手段１に対応する、市販の侵入検知装置１０と、
その検知信号出力線１２と、
所定電話番号への自動発信手段２に対応する、ワンプッシュダイヤル可能な携帯電話機２０（ワンプッシュダイヤルと同様の機能を持つＰＨＳなどの通信端末でも代替可能）と、
スイッチ回路３に対応する、携帯電話機２０の自動発信機能を作動させるためのイヤホンジャックから延出されたスイッチ２４と、
自動発信機能を作動させるリレー手段４に対応する、リレー回路３０と、から構成されている。
【００１６】
（侵入検知装置）
本実施例では、侵入検知装置１０として、上記特許文献１に対応する市販品（オプテックス社の「いつでも安心君」）を使用する。この製品は、警戒エリア内での侵入者の動向に応じた適切なタイミングで異なる警報を発生させることによって十分な威嚇効果を得ることのできる侵入検知装置であり、侵入を検知した際には検知信号として＋３Ｖの信号を出力する仕様である。
【００１７】
（自動発信する機能を備えた携帯電話機）
携帯電話機２０は、ワンプッシュダイヤル、またはホットダイヤルとよばれる自動発信機能を備えた機種である。このワンプッシュダイヤルとは、例えば、自動発信先となる電話番号をメモリーに保持している電話番号リストの最大番号に登録し、携帯電話機のイヤホンジャックに接続された、市販されている３極式ワンプッシュ・ホットダイヤル付イヤホンマイクのリモートスイッチを所定時間（例えば２秒間以上）押下し続けることで、その登録番号に自動発信する機能である。本装置においては、市販の３極式ワンプッシュ・ホットダイヤル付イヤホンマイクの替わりに、リレースイッチＲＬ１と組み合わされるスイッチ２４と結線されたイヤホンマイクコネクタを使用している。イヤホンマイクコネクタは３芯または４芯のものを使用し、そのうち２芯を利用する。
【００１８】
（リレー回路の構成）
リレー回路３０は、図２に示すように、ダイオードＤ１、コンデンサＣ、抵抗Ｒ、トランジスタＴＲ１、ダイオードＤ２およびリレーＲＬ１が、侵入検知装置１０の検知信号出力線１２とともに配線され、また自動発信機能スイッチ２４とリレーＲＬ１とが組み合わされることによって構成されている。
【００１９】
（回路の動作遷移）
回路の動作遷移を、図３〜図６に示す。
【００２０】
（遷移１）
遷移１（図３）では、検知信号出力線１２からの検知信号がリレー回路に流れる。その際、電流Ｉ１が流れる。なお、電流Ｉ２はトランジスタＴＲ１のベース―エミッタ間の整流作用により流れることはない。
【００２１】
（遷移２）
遷移２（図４）では、前記遷移１の電流Ｉ１により、コンデンサＣが充電され、同時にその充電によりトランジスタＴＲ１のベース―エミッタ間の電流Ｉ３が流れる。
【００２２】
（遷移３）
遷移３（図５）では、前記遷移２のトランジスタＴＲ１のベース―エミッタ間の電流Ｉ３が流れることにより、コレクタ―エミッタ間の電流Ｉ４が流れる。
【００２３】
（遷移４）
遷移４（図６）では、トランジスタＴＲ１のコレクタ―エミッタ間の電流Ｉ４が流れることにより、リレースイッチＲＬ１のスイッチがオンになり、自動発信機能スイッチ２４を作動させる電流Ｉ５が流れる。
【００２４】
遷移４の状態は、時間の経過に伴い、コンデンサＣからの電流Ｉ２が徐々に減少し、最後には流れなくなる。同時に、コレクタ―エミッタ間の電流Ｉ４が流れなくなる。これに伴い、リレースイッチＲＬ１のスイッチがオフになり、自動発信機能スイッチを作動させる電流Ｉ５も流れなくなる。
【００２５】
なお、遷移状態４の維持時間は、コンデンサＣ、抵抗Ｒの持つ値により変動するため、自動発信機能を作動させるための所定時間に合わせるように設定することが必要になる。図７は、そのコンデンサＣ、抵抗Ｒの持つ値の組み合わせによるリレーＲＬ１への電流継続時間Ｔの変動を示している。
【００２６】
（タイミングチャート）
本実施例のリレー回路３０の、前記の遷移１ないし遷移４におけるタイミングチャートを図８に示す。なお、図８の遷移２と３は瞬時に切り替わるものと想定しており、また、遷移状態４の維持時間は、自動発信機能を作動させるための所定時間、ここでは約２秒間に設定している。
【００２７】
（自動撮影システム）
このシステムには、さらに、照明手段５と自動撮影手段６が付加されており、これらの手段に関連するシステム構成が図９に示されている。すなわち、侵入検知装置１０の検知信号出力線１２に、照明装置１００と、ソレノイド１１４とタイマー１１６を備えた自動撮影装置１１０とを並列に結線した構成を有する。
【００２８】
（動作仕様）
侵入検知装置１０の検知信号出力線１２からの検知信号が流れることにより、照明装置１００は即座に電源が点灯する。同時に、撮影装置１１０は、タイマー１１６が作動し、所定時間（たとえば約１秒）後にソレノイド１１４が作動することによって撮影装置１１０のシャッターボタン１１２を押下し、撮影装置１１０が作動する。これにより、検知された侵入者が照明装置１００であるＡＣ１００Ｖ白熱電球の光に驚き、顔を向けた直後に、照明装置１００の近くに配置した撮影装置１１０であるカメラで、侵入者の顔を撮影可能になる。
【図面の簡単な説明】
【００２９】
【図１】本考案の一実施形態による防犯警報装置のシステム構成図である。
【図２】この装置の回路構成図である。
【図３】リレー回路の第１の遷移状態説明図である。
【図４】リレー回路の第２の遷移状態説明図である。
【図５】リレー回路の第３の遷移状態説明図である。
【図６】リレー回路の第４の遷移状態説明図である。
【図７】コンデンサＣおよび抵抗Ｒの持つ値の組み合わせによるリレーＲＬ１への電流継続時間の変動を示す図である。
【図８】リレー回路のタイミングチャートである。
【図９】自動撮影システムを備えた本考案の別の実施形態による防犯警報装置のシステム構成図である。
【符号の説明】
【００３０】
１        侵入検知信号出力センサ手段
２        所定電話番号への自動発信手段
３        スイッチ回路
４        自動発信機能作動リレー手段
５        照明手段
６        タイマ機能を備えた撮影手段
１０      侵入検知装置
１２      検知信号出力線
２０      ワンプッシュダイヤル可能な携帯電話機
２２      イヤホンマイクコネクタ
２４      自動発信機能スイッチ
３０      リレー回路
ＲＬ１  リレー
Ｃ      コンデンサ
Ｒ      抵抗
ＴＲ１  トランジスタ
１００    照明装置（ＡＣ１００Ｖ白熱電球）
１１０    撮影装置（カメラ）
１１２    シャッターボタン
１１４    ソレノイド（ＡＣ１００Ｖソレノイド）
１１６    タイマー
【図１】
0003102082.tif 000003
【図２】
0003102082.tif 000004
【図３】
0003102082.tif 000005
【図４】
0003102082.tif 000006
【図５】
0003102082.tif 000007
【図６】
0003102082.tif 000008
【図７】
0003102082.tif 000009
【図８】
0003102082.tif 000010
【図９】
0003102082.tif 000011